【手続補正書】
【提出日】平成18年12月12日(2006.12.12)
【手続補正１】
【補正対象書類名】明細書
【補正対象項目名】特許請求の範囲
【補正方法】変更
【補正の内容】
【特許請求の範囲】
【請求項１】  第２の送受信機からのフォワード信号を受信する、第２の送受信機と通信するための送受信機であって、
前記フォワード信号から搬送波オフセットを検出し除去するための搬送波追従ループを有する受信機と、
前記第２の送受信機に対してリターン信号を送信する送信機と、
搬送波周波数の基準となる前記第２の送受信機における第２の発振器とは別の、受信機および送信機を駆動する発振器と、
を備え、
前記送信機は、前記搬送波追従ループで検出した搬送波オフセットに従って、前記第２の送受信機が実質的に搬送波オフセットの無いリターン信号を受信できるように前記リターン信号をプリローテートするプリローテータを備える、前記送受信機。
【請求項２】  搬送波追従ループを有する受信機と送信機と該受信機および送信機に結合された発振器とを備える送受信機が、所定の搬送周波数のフォワード信号を該送受信機に送信する第２の送受信機と通信する方法であって、
前記搬送周波数の基準となる、第２の送受信機における第２発振器とは別の前記発振器によって、前記受信機と送信機を駆動するステップと、
前記受信機により前記フォワード信号を受信し、該フォワード信号から、前記受信機の搬送波追従ループを用いて、搬送波オフセットを検出および除去するステップと、
前記搬送波追従ループで検出した搬送波オフセットに従って、第２の送受信機が実質的に搬送波オフセットの無いリターン信号を受信できるように前記送受信機のプリローテータにより該リターン信号をプリローテートするステップと、
前記プリローテートされたリターン信号を第２の送受信機に送信するステップと、
を備える、前記通信方法。
【手続補正２】
【補正対象書類名】明細書
【補正対象項目名】００１７
【補正方法】変更
【補正の内容】
【００１７】
図１には、この発明の一実施例によるＴＤＭＡ多重回線ワイヤレス電話システム１００が示されている。ＴＤＭＡシステム１００は、ベース受信機１１２とベース送信機１１１を有し、電話回線１１５を介して外部電話回線網に結合されているベース・ユニット１１０を持っている。システム１００は、また、Ｎ個のワイヤレス・ハンドセット１２０１、１２０２、・・・・１２０Ｎを持っている。これらの各ハンドセットは、例えばハンドセット１２０１におけるハンドセット送信機１２１とハンドセット受信機１２２のような、送信機ユニットと受信機ユニットとを具えている。
【手続補正３】
【補正対象書類名】明細書
【補正対象項目名】００１９
【補正方法】変更
【補正の内容】
【００１９】
各ハンドセット送信機１２１は、変調作用を行ない、変調された信号を送信する。このようなシステムには、ＱＡＭ、ＣＡＰ、ＰＳＫ（Ｐｈａｓｅ  Ｓｈｉｆｔ  Ｋｅｙｉｎｇ：位相シフト・キーイング）、ＰＡＭ（Ｐｕｌｓｅ  Ａｍｐｌｉｔｕｄｅ  Ｍｏｄｕｌａｔｉｏｎ：パルス振幅変調）、ＶＳＢ（Ｖｅｓｔｉｇｉａｌ  Ｓｉｄｅｂａｎｄ  Ｍｏｄｕｌａｔｉｏｎ：残留側波帯変調）、ＦＳＫ（Ｆｒｅｇｕｅｎｃｙ  Ｓｈｉｆｔ  Ｋｅｙｉｎｇ：周波数シフト・キーイング）、ＯＦＤＭ（Ｏｒｔｈｏｇｏｎａｌ  Ｆｒｅｇｕｅｎｃｙ  Ｄｉｖｉｓｉｏｎ  Ｍｕｌｔｉｐｌｅｘｉｎｇ：直交周波数分割多重化）およびＤＭＴ（Ｄｉｃｒｅｔｅ  Ｍｕｌｔｉｔｏｎｅ  Ｍｏｄｕｌａｔｉｏｎ：個別マルチトーン変調）を含めて種々のディジタル変調フォーマットを採用することができる。
【手続補正４】
【補正対象書類名】明細書
【補正対象項目名】００２１
【補正方法】変更
【補正の内容】
【００２１】
次に図２を参照すると、この図には、図１のシステム１００とこの発明の一実施例による一例ハンドセット送信機のプリローテータのより詳細を示すブロック図が示されている。図２は、例示の目的で、ベース・ユニット１１０のベース送信機１１１およびベース受信機１１２のプリローテータの詳細と、ハンドセット１２０1のハンドセット送信機１２１とハンドセット受信機１２２を示している。具体的に言えば、ベース・ユニット１１０は、ベース局部発振器２１５を有し、このベース局部発振器２１５は、アップコンバータ２１１とダウンコンバータ２１２の両方を、すなわちフォワード・チャンネルとリターン・チャンネルの両方を駆動する共通の発振器として働く。
【手続補正５】
【補正対象書類名】明細書
【補正対象項目名】００２２
【補正方法】変更
【補正の内容】
【００２２】
このベース・ユニット１１０からハンドセット１２０1に伝送される信号またはデータ・メッセージは、フォワード信号と呼ぶことができ、また、ハンドセット１２０1からベース・ユニット１１０に伝送される信号またはデータ・メッセージはリターン信号と呼ぶことができる。ベース受信機１１２は、また、デローテータ（逆回転器；ｄｅｒｏｔａｔｏｒ）２１６と搬送波追従ループ／数値制御発振器（Ｎｕｍｅｒｉｃａｌｌｙ  Ｃｏｎｔｒｏｌｌｅｄ  Ｏｓｃｉｌｌａｔｏｒ：数値制御発振器）２１７を持っている。アップコンバータ２１１はアンテナ２１８を介してＲＦ信号を送信し、一方ダウンコンバータ２２２はアンテナ２１８を介してＲＦ信号を受入れる。
【手続補正６】
【補正対象書類名】明細書
【補正対象項目名】００２３
【補正方法】変更
【補正の内容】
【００２３】
ハンドセット１２０1は、アップコンバータ２２１とダウンコンバータ２２２の両方を駆動するための共通発振器として働くハンドセット局部発振器２２５を具えている。ハンドセット受信機１２２は、また、デローテータ２２６と搬送波追従ループ／数値制御発振器２２７を持っている。アップコンバータ２２１は、アンテナ２２８を介してベース・ユニット１１０にＲＦ信号を送信し、ダウンコンバータ２２２はベース・ユニット２１０からアンテナ２２８を介してＲＦ信号を受信する。この発明の一実施例に従って、ハンドセット送信機１２１は、また、ハンドセット送信機プリローテータ２２９を有し、これはハンドセット受信機搬送波追従ループ／数値制御発振器２２７に結合されていて、そこから搬送波オフセット情報を受取る。自ずと判るように、各ハンドセット１２０２−１２０Nは、プリローテータ２２９のようなハンドセット送信機プリローテータを持った、１２０１と同様に構成されている。
【手続補正７】
【補正対象書類名】明細書
【補正対象項目名】００２６
【補正方法】変更
【補正の内容】
【００２６】
次に、一旦リンクが設定されていると、ハンドセット送信機１２１は、プリローテータ２２９によって送信された信号をプリローテートし続けて、ベース・ユニット１１０が各個別ハンドセット１２０１−１２０Ｎの搬送波オフセットを記憶し追従する必要を無くする。或る実施例では、プリローテータ２２９は、ハンドセット受信機１２２で用いられる最後（最新）搬送波周波数オフセットに従って、リターン・チャンネルをプリローテートできる数値制御発振器を有する。
【手続補正８】
【補正対象書類名】明細書
【補正対象項目名】符号の説明
【補正方法】変更
【補正の内容】
【符号の説明】
１００  ＴＤＭＡ多重ワイヤレス電話システム
１１０  ベース・ユニット
１１１  ベース送信機
１１２  ベース受信機
１１５  電話回線
１２０１−１２０N  ハンドセット
１２１  ハンドセット送信機
１２２  ハンドセット受信機
２１１；２２１  アップコンバータ
２１２；２２２  ダウンコンバータ
２１５  ベース・ユニットの局部発振器
２１８；２２８  アンテナ
２２５  ハンドセットの局部発振器
２１７  ベース受信機の搬送波追従ループ／数値制御発振器（ＮＣＯ）
２２７  ハンドセット受信機の搬送波追従ループ／数値制御発振器
２１６  デローテータ
２２６  デローテータ
２２９  ハンドセット送信機のプリローテータ
３００  ＦＤＭＡ多重回線ワイヤレス電話システム
３１５；３２５  基準発振器